(57)【要約】【課題】電子機器の固定を安定させることが可能な遊技機の提供を目的とする。【解決手段】本発明の遊技機１０によれば、ベース側係合部４５のうち、固定用支柱４６の上方に配置された上方支持壁４７の上面４７Ｊに、フード壁４２のフード上面壁４２Ｃが当接している。従って、ケース本体６３及びケース本体６３に固定された液晶パネル３０の自重は、フード上面壁４２Ｃから上方支持壁４７へとかかるので、固定用支柱４６への負荷が軽減される。これにより、固定用支柱４６の変形が防がれ、液晶パネル３０の固定状態を安定させることができる。また、中間補強壁４８が上方支持壁４７の下面に接続されて上方支持壁４７を下方から補強しているので、ケース本体６３及び液晶パネル３０の自重による上方支持壁４７の変形を防ぐことができる。【選択図】図１２
2007319307.tif 000002
【特許請求の範囲】
【請求項１】
略鉛直に起立したケース固定面を有したケース固定部材と、
遊技を行うための電子機器と、
前記ケース固定面に固定された第１ケース構成体と、前記電子機器が固定された第２ケース構成体とを前記ケース固定面と略直交する方向で合体してなるケースと、
前記第１ケース構成体から前記第１及び第２のケース構成体同士の合体方向に突出した固定用突部と、
前記第１ケース構成体から前記合体方向に突出して、前記固定用突部に対して上方に離れて対峙した上方支持壁と、
それら固定用突部と上方支持壁とを含んでなるケース係合部と、
前記第１ケース構成体のうち前記ケース係合部よりも外側から前記合体方向に突出した壁部と、
前記第２ケース構成体に設けられて、前記固定用突部に固定可能な被固定部と、
前記第２ケース構成体に設けられ、前記上方支持壁の上面に当接可能な上方被支持壁と、
それら被固定部と上方被支持壁とを含んでなる被ケース係合部とを備え、前記第１ケース構成体のうち前記壁部より内側に前記第２ケース構成体が配置されると共に前記第２ケース構成体の外周よりも内側に前記ケース係合部が配置されたことを特徴とする遊技機。
【請求項２】
前記固定用突部は、軸心部に螺子孔を有し、
前記被固定部は、前記螺子孔に対する螺子が貫通した螺子挿通孔を有したことを特徴とした請求項１に記載の遊技機。
【請求項３】
前記ケース係合部及び前記被ケース係合部を、前記ケースの左右方向における両側部に少なくとも１つずつ設けたことを特徴とする請求項１又は２に記載の遊技機。
【請求項４】
前記ケース係合部及び前記被ケース係合部を、前記ケースに非対称に配置したことを特徴とする請求項３に記載の遊技機。
【請求項５】
前記ケース係合部及び前記被ケース係合部を、非対称形状にしたことを特徴とする請求項１乃至４の何れかに記載の遊技機。
【請求項６】
前記第１ケース構成体のうち前記固定用突部と前記上方支持壁が立ち上がった基礎壁部には、前記上方支持壁の下面に接続されて、前記上方支持壁と前記固定用突部との間で上下方向に延びた中間補強壁が備えられたことを特徴とする請求項１乃至５の何れかに記載の遊技機。
【請求項７】
前記中間補強壁の下端部は、前記固定用突部に接続されたことを特徴とする請求項６に記載の遊技機。
【請求項８】
前記基礎壁部には、前記中間補強壁の中間部に接続され、略水平方向に張り出した補助壁が備えられたことを特徴とする請求項６又は７に記載の遊技機。
【請求項９】
前記被ケース係合部は、前記合体方向で前記ケース係合部に対向した対向壁と、前記対向壁の側部から前記第１ケース構成体に向かって起立し、前記ケース係合部の上方と下方と側方とを覆うフード壁とを有し、
前記対向壁に前記被固定部を設けると共に、前記フード壁のうち前記ケース係合部の上方を覆うフード上面壁で前記上方被支持壁を構成したことを特徴とする請求項１乃至８の何れかに記載の遊技機。
【請求項１０】
前記固定用突部は、外面が円弧状をなし、
前記フード壁の下側角部には、前記固定用突部の外面に対応して丸みを帯びた円弧壁が備えられ、
前記フード壁の下面部には、前記円弧壁の端部から水平に延び、前記固定用突部の外面が点接触した下側平坦壁が備えられたことを特徴とする請求項９に記載の遊技機。
【請求項１１】
前記第１ケース構成体は、前記フード壁の外側に嵌合した外側嵌合壁を有したことを特徴とする請求項９又は１０に記載の遊技機。
【発明の詳細な説明】
【技術分野】
【０００１】
本発明は、電子機器をケースに収容して備えた遊技機に関する。
【背景技術】
【０００２】
従来、この種の遊技機としては、図１８に示すように、電子機器としての液晶表示装置９をケース１に収容して備えたものが知られている。そのケース１は、前側ケース構成体２と後側ケース構成体３とを合体してなり、それら両ケース構成体２，３を固定するために、後側ケース構成体３の外縁部からは、前側に向けて固定用突部４が突出形成されて、その軸心部に螺子孔４Ａが形成されている。そして、液晶表示装置９を前側ケース構成体２に固定すると共に、前側ケース構成体２に備えた貫通孔２Ａに挿通した螺子５を固定用突部４の螺子孔４Ａに螺合して、両ケース構成体２，３が固定され、後側ケース構成体３が遊技機本体（図示しない）に固定されていた（例えば、特許文献１参照）。
【特許文献１】特開２００５−１８１４０３号公報（段落［００２３］、第３図、第５（ｂ）図の符号「５５５」）
【発明の開示】
【発明が解決しようとする課題】
【０００３】
しかしながら、上記した従来の遊技機では、液晶表示装置９及び前側ケース構成体２の自重により固定用突部４が変形等して、締め付けた螺子５がゆるむ事態等が生じ得た。
【０００４】
本発明は、上記事情に鑑みてなされたもので、電子機器の固定を安定させることが可能な遊技機の提供を目的とする。
【課題を解決するための手段】
【０００５】
上記目的を達成するためになされた請求項１の発明に係る遊技機は、略鉛直に起立したケース固定面を有したケース固定部材と、遊技を行うための電子機器と、ケース固定面に固定された第１ケース構成体と、電子機器が固定された第２ケース構成体とをケース固定面と略直交する方向で合体してなるケースと、第１ケース構成体から第１及び第２のケース構成体同士の合体方向に突出した固定用突部と、第１ケース構成体から合体方向に突出して、固定用突部に対して上方に離れて対峙した上方支持壁と、それら固定用突部と上方支持壁とを含んでなるケース係合部と、第１ケース構成体のうちケース係合部よりも外側から合体方向に突出した壁部と、第２ケース構成体に設けられて、固定用突部に固定可能な被固定部と、第２ケース構成体に設けられ、上方支持壁の上面に当接可能な上方被支持壁と、それら被固定部と上方被支持壁とを含んでなる被ケース係合部とを備え、第１ケース構成体のうち壁部より内側に第２ケース構成体が配置されると共に第２ケース構成体の外周よりも内側にケース係合部が配置されたところに特徴を有する。
【０００６】
請求項２の発明は、請求項１に記載の遊技機において、固定用突部は、軸心部に螺子孔を有し、被固定部は、螺子孔に対する螺子が貫通した螺子挿通孔を有したところに特徴を有する。
【０００７】
請求項３の発明は、請求項１又は２に記載の遊技機において、ケース係合部及び被ケース係合部を、ケースの左右方向における両側部に少なくとも１つずつ設けたところに特徴を有する。
【０００８】
請求項４の発明は、請求項３に記載の遊技機において、ケース係合部及び被ケース係合部を、ケースに非対称に配置したところに特徴を有する。
【０００９】
請求項５の発明は、請求項１乃至４の何れかに記載の遊技機において、ケース係合部及び被ケース係合部を、非対称形状にしたところに特徴を有する。
【００１０】
請求項６の発明は、請求項１乃至５の何れかに記載の遊技機において、第１ケース構成体のうち固定用突部と上方支持壁が立ち上がった基礎壁部には、上方支持壁の下面に接続されて、上方支持壁と固定用突部との間で上下方向に延びた中間補強壁が備えられたところに特徴を有する。
【００１１】
請求項７の発明は、請求項６に記載の遊技機において、中間補強壁の下端部は、固定用突部に接続されたところに特徴を有する。
【００１２】
請求項８の発明は、請求項６又は７に記載の遊技機において、基礎壁部には、中間補強壁の中間部に接続され、略水平方向に張り出した補助壁が備えられたところに特徴を有する。
【００１３】
請求項９の発明は、請求項１乃至８の何れかに記載の遊技機において、被ケース係合部は、合体方向でケース係合部に対向した対向壁と、対向壁の側部から第１ケース構成体に向かって起立し、ケース係合部の上方と下方と側方とを覆うフード壁とを有し、対向壁に被固定部を設けると共に、フード壁のうちケース係合部の上方を覆うフード上面壁で上方被支持壁を構成したところに特徴を有する。
【００１４】
請求項１０の発明は、請求項９に記載の遊技機において、固定用突部は、外面が円弧状をなし、フード壁の下側角部には、固定用突部の外面に対応して丸みを帯びた円弧壁が備えられ、フード壁の下面部には、円弧壁の端部から水平に延び、固定用突部の外面が点接触した下側平坦壁が備えられたところに特徴を有する。
【００１５】
請求項１１の発明は、請求項９又は１０に記載の遊技機において、第１ケース構成体は、フード壁の外側に嵌合した外側嵌合壁を有したところに特徴を有する。
【発明の効果】
【００１６】
［請求項１の発明］
請求項１の構成によれば、第１ケース構成体の固定用突部と第２ケース構成体の被固定部とを固定すると、第１ケース構成体と第２ケース構成体とを合体してなるケース内に電子機器が収容された状態に保持される。ここで、本発明では、電子機器は第２ケース構成体に固定されており、その電子機器及び第２ケース構成体の自重は、第２ケース構成体の上方被支持壁から第１ケース構成体の上方支持壁へとかかり、第１ケース構成体における固定用突部への負荷が軽減される。これにより、固定用突部に変形等が生じる可能性が低減され、電子機器の固定を安定させることができる。
【００１７】
［請求項２の発明］
固定用突部と被固定部とを固定するための構成としては、請求項２の構成のように、固定用突部が、軸心部に螺子孔を有し、被固定部が、螺子が貫通した螺子挿通孔を有する構成にしてもよい。
【００１８】
［請求項３の発明］
請求項３の構成では、ケース係合部及び被ケース係合部を、ケースの両側部に少なくとも１つずつ設けたので、両側部の各ケース係合部及び被ケース係合部への負荷が分散されて、固定用突部に変形等が生じる可能性を低減することができる。
【００１９】
［請求項４の発明］
請求項４の構成によれば、ケース係合部及び被ケース係合部をケースに非対称に配置したので、第１ケース構成体と第２ケース構成体とが誤った位置で組み付けられる可能性を低減することができる。
【００２０】
［請求項５の発明］
請求項５の構成によれば、ケース係合部及び被ケース係合部を非対称形状にしたので、第１ケース構成体と第２ケース構成体とが誤った位置で組み付けられる可能性を低減することができる。
【００２１】
［請求項６，７及び８の発明］
請求項６の構成によれば、中間補強壁が上方支持壁を下方から補強して、上方支持壁に変形等が生じる可能性を低減することができる。また、請求項７の構成によれば、固定用突部が中間補強壁を介して上方支持壁を補強すると共に、固定用突部に横方向から力が掛かった場合に中間補強壁にて固定用突部を補強することができる。さらに、請求項８の構成によれば、中間補強壁の中間部に接続された補助壁によって中間補強壁の横方向への変形等が生じる可能性を低減することができる。
【００２２】
［請求項９の発明］
請求項９の構成によれば、第１と第２のケース構成体を合体すると、第２ケース構成体の被ケース係合部に備えたフード壁が、第１ケース構成体のケース係合部の上方と下方と側方とを覆う。ケース係合部に合体方向で対向した対向壁とケース係合部における固定用突部とが固定され、フード壁のフード上面壁が被支持壁になってケース係合部に上方から当接する。これらフード壁と対向壁とを備えたことで被ケース係合部が袋構造になり、被ケース係合部の強度を高めることができる。
【００２３】
［請求項１０の発明］
請求項１０の構成によれば、フード壁のうち下側平坦壁とフード上面壁とによってケース係合部を上下方向から挟んで位置決めすることができる。また、固定用突部は外面が円弧状をなし、その外面がフード壁の下側平坦壁に点接触しているので、固定用突部を樹脂成形し、その成形歪みによって固定用突部が、正規の位置よりフード壁の下側角部側に傾いて成形されても、下側平坦壁に沿って固定用突部を変形させながらフード部をケース係合部に嵌合することができる。
【００２４】
［請求項１１の発明］
請求項１１の構成によれば、第１ケース構成体に備えた外側嵌合壁をフード壁の外側に嵌合してフード壁を保護することができる。
【発明を実施するための最良の形態】
【００２５】
以下、本発明の「遊技機」としてのパチンコ遊技機１０（以下、単に「遊技機」という）に係る一実施形態を、図１〜図１６に基づいて説明する。図１に示すように、遊技機１０は、誘導レール１２に囲まれた遊技領域Ｒ１を遊技板１１の前面に備え、その遊技領域Ｒ１を遊技機１０の前面に備えた略円形のガラス窓９５Ｗを通して視認可能となっている。遊技領域Ｒ１の所定位置には、表示装置３２や各種入賞口１４Ａ，１４Ｂ，１５，２０，２１等の各種役物が備えられている。
【００２６】
表示装置３２は、遊技領域Ｒ１のうち向かって右上寄りに配置されている。表示装置３２の下側スペースには、その左右方向の中央に、第１及び第２の始動入賞口１４Ａ，１４Ｂ、大入賞口１５及びアウト口１６が、上から順に間隔を開けて並べて設けられ、左右両側部には、誘導レール１２に沿って一般入賞口２０，２１及びサイドランプ２２，２２がそれぞれ設けられている。また、表示装置３２の左側スペースには、始動ゲート１８と風車１９とが上下に並べて設けられている。さらに、風車１９の下方には、サイドランプ２２と一体に、普通図柄表示部１８Ｈが設けられている。これら各種入賞口１４Ａ，１４Ｂ，１５，２０，２１，表示装置３２等の役物以外に、遊技領域Ｒ１には、遊技球と当接して流下方向を様々に変化させることが可能な障害釘が分散配置されている。
【００２７】
より詳細には、一般入賞口２０，２１は、所謂、ポケット構造をなし、遊技球が丁度１つ入球可能な大きさで上方に開口している。一般入賞口２０，２１へ入球すると、その遊技球は遊技板１１の裏側に取り込まれ、代わりに所定数の賞球が遊技機１０の前面に備えた上皿２６に払い出される。
【００２８】
始動ゲート１８は、遊技球が潜って通過可能な門形構造をなし、通過した遊技球は始動ゲート１８に内蔵された普通図柄始動スイッチによって検出される。この検出信号に基づいて、普通図柄表示部１８Ｈにおいて図柄が変動表示される。具体的には、「０」〜「９」までの数字からなる数字図柄が所定期間に亘って変動表示された後、所定の数字図柄が停止表示される。
【００２９】
第１及び第２の始動入賞口１４Ａ，１４Ｂは、上下方向に並んで配置されている。各始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００３０】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１８Ｈで停止表示された数字図柄が奇数になると、遊技板１１の裏に設けたソレノイドが駆動されて、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００３１】
各始動入賞口１４Ａ，１４Ｂに遊技球が入賞すると、各始動入賞口１４Ａ，１４Ｂ内に設けた図示しない始動口センサが遊技球を検出し、その検出信号に基づいて、例えば、４個の遊技球が上皿２６に払い出されると共に、表示装置３２において図柄が変動表示される。具体的には、表示装置３２には、通常、３つの左、中、右の特別図柄３２Ａ，３２Ｂ，３２Ｃが横並びに表示されている。これら各特別図柄３２Ａ，３２Ｂ，３２Ｃは、例えば、「０」〜「１１」の数字を表記した複数種類のもので構成されており、通常は、各特別図柄３２Ａ，３２Ｂ，３２Ｃごと、所定の種類のものが停止表示されている。そして、始動入賞口１４Ａ，１４Ｂに遊技球が入賞したときに、これら３つの特別図柄３２Ａ，３２Ｂ，３２Ｃが、上下方向にスクロール表示され、所定時間後に、例えば、左、中、右の順で各特別図柄３２Ａ，３２Ｂ，３２Ｃが停止表示される。このとき、例えば、全ての特別図柄３２Ａ，３２Ｂ，３２Ｃが同じ図柄、即ち、ぞろ目になった場合に、遊技が「大当たり状態」になる。なお、表示装置３２において特別図柄３２Ａ，３２Ｂ，３２Ｃが変動表示又は「大当たり状態」の最中に始動入賞口１４Ａ，１４Ｂに入賞した場合、その入賞球は最大で４個まで保留記憶され、特別図柄３２Ａ，３２Ｂ，３２Ｃが停止表示又は「大当たり状態」が終了すると、その保留記憶に基づいて再び、特別図柄３２Ａ，３２Ｂ，３２Ｃが変動表示される。
【００３２】
大入賞口１５は、横長矩形に形成されて、常には、可動扉１５Ｔにて閉塞されている。遊技機１０が「大当たり状態」になると、遊技板１１の裏に設けた図示しないソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能となる。ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００３３】
大入賞口１５の内部には、計数入賞口が設けられている。計数入賞口内には、カウントセンサが設けられており、遊技球の入賞を検出すると入賞球数をカウントし、入賞球が前記したように計１０個に達したか否かをチェックする。なお、大入賞口１５に遊技球が入賞すると、例えば、１５個の遊技球が上皿２６に払い出される。
【００３４】
表示装置３２は、枠形構造をなした装飾枠１１Ｓの内側奥部に、例えば、１５インチの液晶ディスプレイパネル３０（以下、単に「液晶パネル３０」という）を備えた構造をなしている。図８に示すように、装飾枠１１Ｓは、遊技板１１に形成された取付孔１１Ｗに対して前面側から取り付けられており、液晶パネル３０は、後述する第１ケース６０に収容された状態で、遊技板１１の後面１１Ｒに取り付けられている。なお、図７には、遊技板１１の前面に装飾枠１１Ｓを取り付け、後面１１Ｒに第１ケース６０を取り付けた状態が示されているが、説明の便宜上、第１ケース６０内に収容されている液晶パネル３０は省略してある。以上が遊技領域Ｒ１に備えた各種役物に関する説明である。
【００３５】
図１に示すように、遊技機１０前面のうち遊技領域Ｒ１の上方には、左右に１対のスピーカ１３Ａ，１３Ａが設けられ、遊技領域Ｒ１の下方には、上皿２６が設けられている。上皿２６は、前方に向かって膨出しており、その上皿２６の右側には、球貸し操作ボタン２４と球貸し状態表示モニター２５とが並べて配置されている。
【００３６】
上皿２６の下方には、皿扉２９が取り付けられている。皿扉２９の前面中央には、遊技機１０の前方に膨出して遊技球が貯留可能な下皿２８が設けられている。球抜きボタン２３を押圧操作すると、上皿２６に貯留された遊技球が下皿２８に排出される。下皿２８には、ファール球等も貯留される。皿扉２９のうち下皿２８の左側方には、遊技ボタン５３が設けられている。遊技ボタン５３を押圧すると、表示装置３２で変動表示されている画像、例えば、キャラクタ画像を、遊技者の任意のタイミングで停止させることができる。下皿２８の右側方には、下皿２８に貯留された遊技球を遊技機１０の外部に排出するための球排出ボタン５２が設けられている。皿扉２９の右側部には、発射操作ノブ２７が備えられ、この発射操作ノブ２７を回動操作することで図示しない発射装置から遊技球が遊技領域Ｒ１に向かって発射される。
【００３７】
遊技機１０の前面側の構成は以上であって、次に後面側の構成について説明する。遊技機１０の後面には、図２に示すように種々の部品が組み付けられた縦長矩形の機構板５９が固定されている。機構板５９の中央部には、遊技板１１の後面１１Ｒを後方に露出させた矩形開口８４が形成され、その矩形開口８４の一部を覆うように、透明な樹脂製カバー８４Ｃが着脱可能に取り付けられている。機構板５９のうち、樹脂製カバー８４Ｃの上側には遊技球を貯留する遊技球タンク５５が組み付けられており、樹脂製カバー８４Ｃの一側方には払出装置５６が設けられており、樹脂製カバー８４Ｃの下方には払出制御装置５７と電源装置５８とが並んで設けられている。なお、払出装置５６は、遊技球タンク５５から遊技球誘導レール５５Ｒを通して遊技球を受け取り、払出制御装置５７からの指令に応じて所定数の遊技球を払い出す。
【００３８】
図３に示すように、遊技板１１の後面１１Ｒには、各種電子機器を収容した複数のケース５０，６０，７０，７５が取り付けられている。詳細には、矩形板状の液晶パネル３０（図８を参照）を収容した第１ケース６０と、表示制御基板（図示せず）を収容した第２ケース７０と、音声・ランプ制御基板（図示せず）を収容した第３ケース７５とが前後方向で重なった状態で取り付けられており、これら第１〜第３ケース６０，７０，７５の下方に、メイン制御基板（図示せず）を収容した第４ケース５０が取り付けられている。これら第１〜第４ケース５０，６０，７０，７５は、何れも透明な樹脂で構成されており、内部を視認可能となっている。また、第１〜第４ケース５０，６０，７０，７５は、機構板５９の矩形開口８４の内側に配置され、第１〜第３ケース６０，７０，７５の全体と第４ケース５０の上側半分とが樹脂製カバー８４Ｃによって後方から覆われている。そして、各電子機器が第１〜第４ケース６０，７０，７５，５０に収容されたことで、各電子機器に直接触れることなく組み付け作業を行うことができ、各電子機器の破損を防止できる。なお、遊技板１１は、本発明における「ケース固定部材」に相当し、その後面１１Ｒは「ケース固定面」に相当する。
【００３９】
以下、第１〜第３ケース６０，７０，７５について詳説する。第２ケース７０は、図４に示すように第１ケース６０の後面に重ねて取り付けられている。第２ケース７０は、前後方向（図４において紙面と直交する方向）に薄くなった扁平構造をなし、内部に収容された表示制御基板（図示せず）の形状に対応して、下辺部がクランク状をなしている。そして、表示制御基板のスイッチ群やコネクタ等が、後面壁に形成された複数の矩形開口７０Ｗを介して、第２ケース７０の外部に露出している。
【００４０】
第２ケース７０は、表示制御基板を内部に収容するために扁平方向で２分割可能となっている。また、図示しないが、第２ケース７０のうち、第１ケース６０の後面に宛がわれる前面壁には複数のケース固定用フックが一体形成され、これらケース固定用フックが、第１ケース６０の後面壁に備えたフック係合孔６８（図５を参照）に係合している。
【００４１】
第３ケース７５は、図３に示すように第２ケース７０の後方に重ねて取り付けられている。第３ケース７５は、前後方向（図３において紙面と直交する方向）に薄くなった扁平構造をなし、内部に収容された音声・ランプ制御基板（図示せず）のスイッチ群やコネクタ等が、後面壁に形成された複数の矩形開口７５Ｗを介して、第３ケース７５の外部に露出している。また、第３ケース７５も、音声・ランプ制御基板を内部に収容するために、その扁平方向で２分割可能となっている。
【００４２】
第３ケース７５のうち、図３における左側縁部からは、第１ケース６０（前方）に向かって１対のヒンジ連結脚部７５Ａ，７５Ａが突出している。各ヒンジ連結脚部７５Ａの先端部は直角に折れ曲がって側方に張り出している。一方、第３ケース７５の右側縁部からは、前方に向かって１対の螺旋固定脚部７５Ｂ，７５Ｂが突出している。各螺旋固定脚部７５Ｂ，７５Ｂの先端部は直角に折れ曲がって側方に張り出しており、その張り出した部分に螺旋孔が貫通形成されている。そして、各ヒンジ連結脚部７５Ａを第１ケース６０に形成されたヒンジ構成突部６６（図４を参照）に係合すると共に、螺旋固定脚部７５Ｂの先端部を第１ケース６０に形成された第３ケース固定突部６７（図４を参照）に螺旋止めすることで、第３ケース７５が第１ケース６０に固定されている。
【００４３】
さて、本実施形態の遊技機１０では、液晶パネル３０を収容した第１ケース６０に本発明が適用されている。第１ケース６０は、図５に示すように遊技板１１の後面１１Ｒに固定されている。第１ケース６０は、前後方向（図５において紙面と直交する方向）に薄くなった扁平構造をなしている。また、液晶パネル３０を内部に収容するために、その扁平方向で、遊技板１１の後面１１Ｒに固定される枠形ベース６１と、枠形ベース６１に対して着脱可能に固定されるケース本体６３とに２分割可能となっている（図６及び図８を参照）。なお、本実施形態において、枠形ベース６１は本発明の「第１ケース構成体」に相当し、ケース本体６３は本発明の「第２ケース構成体」に相当する。また、第１ケース６０の扁平方向、即ち、遊技機１０の前後方向が本発明の「合体方向」に相当する。
【００４４】
枠形ベース６１は、液晶パネル３０より一回り大きな矩形枠状をなしている。枠形ベース６１は、液晶パネル３０の画面３０Ｇとほぼ同じ大きさの表示開口を有し、その表示開口が透明なアクリル板６２によって塞がれている。液晶パネル３０の画面３０Ｇは、アクリル板６２を通して遊技機１０の前方から視認可能となっており、アクリル板６２により画面３０Ｇが保護されている。
【００４５】
枠形ベース６１のうち、遊技板１１の後面１１Ｒに突き当てられた前端縁には、薄板状をなした複数の取付部６１Ｄが形成され、これら取付部６１Ｄを貫通した螺旋により、枠形ベース６１が遊技板１１の後面１１Ｒに固定されている。
【００４６】
図９に示すように、枠形ベース６１の後面壁からは、表示開口を囲むように後方に突出した囲壁６１Ａ（本発明の「壁部」に相当する）が形成されている。囲壁６１Ａの外側で、図６における枠形ベース６１の上辺と左側辺とには、電線通路が形成されており、その電線通路に沿って複数の電線係止フック６１Ｆが形成されている。これら電線係止フック６１Ｆにより、電線が電線通路から離脱しないようになっている。そして、枠形ベース６１と次述するケース本体６３とを合体固定するために、枠形ベース６１の左右両辺には複数のベース側係合部４５（本発明の「ケース係合部」に相当する）が一体形成されている。ベース側係合部４５については後に詳説する。
【００４７】
ケース本体６３は、図８及び図１０に示すように枠形ベース６１側（前方）に開放した扁平箱形構造をなしている。即ち、ケース本体６３は、矩形状の後面壁部６４の外縁部から枠形ベース６１に向けて囲壁６３Ａが突出した構造をなしており、その内側に液晶パネル３０が図示しない固定手段（例えば、ビス等）により固定されている。また、ケース本体６３を上記した枠形ベース６１に合体固定するために、ケース本体６３の左右両辺には、ベース側係合部４５と凹凸係合する複数の本体側係合部４０（本発明の「被ケース係合部」に相当する）が一体形成されている。この本体側係合部４０については後に詳説する。
【００４８】
図９に示すようにケース本体６３のうち、後面壁部６４の上端寄り位置には、上辺と平行な段差部が形成され、段差部より上方部分が前方にオフセットした放熱壁６４Ｂになっている。放熱壁６４Ｂの全体には、図示しない複数の放熱孔が形成され、これにより液晶パネル３０が発する熱を第１ケース６０外部に放出可能となっている。
【００４９】
後面壁部６４の下端寄り位置には、下辺と平行な屈曲部が形成されており、屈曲部より下側部分が、下方に向かうに従って枠形ベース６１に近づくように傾斜した傾斜壁６４Ｃになっている。また、傾斜壁６４Ｃと囲壁６３Ａの下辺部とがなす角部には、稜線に沿って複数の通気孔６４Ｙが形成されている。
【００５０】
後面壁部６４のうち放熱壁６４Ｂと傾斜壁６４Ｃとに挟まれた部分は、遊技板１１の後面１１Ｒに対して平行（即ち、略鉛直）なケース取付壁６４Ａとなっている。ケース取付壁６４Ａのうち、傾斜壁６４Ｃに近い位置には、第２ケース受け壁６５が形成されている。図９に示すように第２ケース受け壁６５は、ケース取付壁６４Ａから直角に起立して後方に突出している。第２ケース受け壁６５は、第２ケース７０の下辺部の形状に対応して水平方向に延びかつ途中でクランク状に折れ曲がり、さらに水平方向の両端部で直角に折れ曲がって上方に延びている。この第２ケース受け壁６５に第２ケース７０の下辺部が受け止められて、第２ケース７０が下方から支持されると共に、第２ケース７０の位置決めがなされている（図４を参照）。なお、第２ケース受け壁６５は、後面壁部６４（ケース取付壁６４Ａ）を補強する役割も果たす。
【００５１】
ケース取付壁６４Ａのうち第２ケース受け壁６５の上方には、複数のフック係合孔６８が貫通形成されている。図６に示すように、これらフック係合孔６８はケース取付壁６４Ａに非対称に配置されている。具体的には、フック係合孔６８は、例えば全部で４つであり、それらが２つずつ上下に分けられ、上側と下側とで各ペアのフック係合孔６８が水平方向に並べられている。そして、上側のフック係合孔６８，６８が、下側のフック係合孔６８，６８より図６における右側にずらされかつ、上側のフック係合孔６８，６８同士の間隔より、下側のフック係合孔６８，６８同士の間隔が狭くなっている。これらフック係合孔６８には、上記したように第２ケース７０に備えられたケース固定用フック（図示せず）が係合している。
【００５２】
ケース取付壁６４Ａのうち図６における左端部分には、１対のヒンジ構成突部６６，６６が上下に並べて設けられている。図９に示すように、各ヒンジ構成突部６６は角筒状をなしてケース取付壁６４Ａから後方に突出し、先端部が方形壁６６Ａにて塞がれている。そして、ヒンジ構成突部６６のうち方形壁６６Ａとヒンジ構成突部６６の筒壁とがなす第２ケース受け壁６５側の角部に連結開口部６６Ｂ（図６を参照）が形成されている。これらヒンジ構成突部６６，６６には、上記したように、第３ケース７５に備えた１対のヒンジ連結脚部７５Ａ，７５Ａがそれぞれ係合している。詳細には、連結開口部６６Ｂからヒンジ連結脚部７５Ａが挿入されて、ヒンジ連結脚部７５Ａの先端部と方形壁６６Ａとが係合している。
【００５３】
ケース取付壁６４Ａのうち第２ケース受け壁６５を挟んでヒンジ構成突部６６と反対側には、１対の第３ケース固定突部６７，６７が上下に並べて設けられている。各第３ケース固定突部６７は、図９に示すようにケース取付壁６４Ａから後方に突出した円錐筒部の先端を円形壁にて塞いで、その円形壁の内面中心部から前方（枠形ベース６１）に向かって円柱体（図示せず）を突出させた構造をなし、円柱体の芯部に芯孔６７Ｃが形成されている。第３ケース固定突部６７，６７の先端部には、上記したように第３ケース７５に備えた螺旋固定脚部７５Ｂ，７５Ｂ（図３を参照）の先端部が突き当てられ、その螺旋固定脚部７５Ｂを貫通した螺旋が芯孔６７Ｃに螺合されて、螺旋固定脚部７５Ｂ，７５Ｂと第３ケース固定突部６７，６７とが螺旋止めされている。
【００５４】
ケース取付壁６４Ａの所定部位には、複数の電線挿通窓６４Ｇが形成されている。電線挿通窓６４Ｇの開口縁の一部は、第１ケース６０の内側に向かって斜めに傾斜している。そして、これら電線挿通窓６４Ｇを通して第１ケース６０の内外に図示しない電線が挿通されている。
【００５５】
ケース取付壁６４Ａのうち図６における左側部分からは、複数の電線係止フック６４Ｆが起立している。電線係止フック６４Ｆは、図９に示すようにケース取付壁６４Ａの後方に起立した起立片の先端から片持ち梁状に電線押さえ片を突出させ、さらに、その電線押さえ片の先端が後面壁部６４側に直角に折れ曲がった構造をなしている。そして図示しない複数本の電線が、電線係止フック６４Ｆによって纏めて保持されている。
【００５６】
ケース取付壁６４Ａのうち図６における右側角部には、横長のスイッチ窓６４Ｈが形成され、このスイッチ窓６４Ｈを通して液晶パネル３０の後面に備えたスイッチ（図示せず）を第１ケース６０の外部から操作可能となっている。
【００５７】
図６に示すようにケース取付壁６４Ａのうちフック係合孔６８群の上方には、係止爪６９が形成されている。そのために、ケース取付壁６４Ａには門形スリット６９Ａが形成されている。門形スリット６９Ａは、上下方向に延びて互いに平行になった１対の側辺部と、それら側辺部の上端部間を接続した上辺部とからなる。この門形スリット６９Ａによって後面壁部６４（ケース取付壁６４Ａ）の一部が片持ち梁状になり、弾性変形可能な係止爪６９を構成している。
【００５８】
係止爪６９の先端部には係止突起６９Ｋが形成されている。係止突起６９Ｋは、係止爪６９の先端縁から下方に向かう従って徐々に後方に突出し、その下端部に下方を向いた係止段差面が形成されている（図１４及び図１５を参照）。また、係止爪６９のうち第１ケース６０の内面側には、係止突起６９Ｋの外縁部に沿って図示しない突条が形成されており、係止突起６９Ｋの強度が向上されている。係止爪６９は、係止突起６９Ｋの係止段差面を第２ケース７０の上辺に係止させて（図４を参照）、第２ケース７０の上方への移動を禁止している。即ち、係止爪６９によって、フック係合孔６８とケース固定用フックとの係止解除が禁止され、第２ケース７０の脱落が防止されている。なお、係止爪６９を押圧して第１ケース６０の内側に弾性変形させれば、係止爪６９と第２ケース７０との係止が解除され、第２ケース７０を第１ケース６０から取り外すことができる。
【００５９】
図１０に示すように、後面壁部６４の内面には、門形スリット６９Ａに対応した門形形状をなす補強壁６９Ｈが設けられている。補強壁６９Ｈは、門形スリット６９Ａの両側辺部における上端部から下端寄り位置まで延びた脚部６９Ｄ，６９Ｄと、門形スリット６９Ａの上辺部に沿って延び、脚部６９Ｄ，６９Ｄの上端部間を接続した天井部６９Ｅとから構成されている。この補強壁６９Ｈにより、門形スリット６９Ａの周辺部及び係止爪６９が撓むのを防止することができる。
【００６０】
また、後面壁部６４の内面には、ケース取付壁６４Ａと傾斜壁６４Ｃとの間の屈曲部を横切って上下方向に延びた複数の垂直リブ６４Ｄと、上側の１対のフック係合孔６８，６８と下側の１対のフック係合孔６８，６８との間部分に設けられて水平方向に延びた水平リブ６４Ｌが形成されており、これら各リブ６４Ｄ，６４Ｌと補強壁６９Ｈとが、ケース本体６３内に固定された液晶パネル３０の後面に突き当てられている。なお、ケース本体６３の内側には、これらの他にも複数の補強用リブが形成されている。
【００６１】
各リブ６４Ｄ，６４Ｌと補強壁６９Ｈとを第１ケース６０内の液晶パネル３０に突き合わせたことで、後面壁部６４の補強効果が高められて、後面壁部６４が撓むのをより確実に防止することができる。
【００６２】
次に、本発明に係るベース側係合部４５及び本体側係合部４０について詳説する。まず、ベース側係合部４５は、図６に示すように、枠形ベース６１の左右両辺に２つずつ、合計４つ備えられている。これら４つのベース側係合部４５は囲壁６１Ａより内側に配置されかつ枠形ベース６１に左右対称に配置されている。また、各ベース側係合部４５は、上下及び左右で非対称形状をなしている。
【００６３】
図１１（Ａ）には、枠形ベース６１のうち、図６における右辺下側に配置されたベース側係合部４５が拡大して示されており、図１１（Ｂ）には、図６における左辺下側に配置されたベース側係合部４５が拡大して示されている。同図に示すように、ベース側係合部４５は、枠形ベース６１の後面壁（本発明の「基礎壁部」に相当する）から後方に向かって直角に起立した固定用支柱４６（本発明の「固定用突部」に相当する）を備えている。固定用支柱４６は円柱状をなし、その芯部に螺旋孔４６Ｎが形成されている。
【００６４】
固定用支柱４６のほぼ真上位置には、固定用支柱４６に対して上方に離れて対峙した上方支持壁４７が備えられている。上方支持壁４７は、枠形ベース６１の後面壁から後方に向かって直角に起立しており、その上面４７Ｊが水平面となっている。この上方支持壁４７と固定用支柱４６とは中間補強壁４８によって繋がっている。中間補強壁４８は枠形ベース６１の後面壁から後方に向かって直角に起立すると共に上下方向（より正確には、鉛直方向）に延びている。中間補強壁４８の上端部は、上方支持壁４７のうち枠形ベース６１の外側寄り（図１１（Ａ）における右側、図１１（Ｂ）における左側）の端部下面に接続されており、下端部は固定用支柱４６のうち、枠形ベース６１の外側寄りの外周面に接続されている。この中間補強壁４８により、上方支持壁４７が下方から補強されている。また、中間補強壁４８の下端部が固定用支柱４６に接続されたことで、固定用支柱４６が中間補強壁４８を介して上方支持壁４７を補強しており、また、横方向からの力がかかった場合でも中間補強壁４８により固定用支柱４６の変形が防がれる。
【００６５】
中間補強壁４８のうち、上方支持壁４７と固定用支柱４６とのほぼ中間部分には、上方支持壁４７と平行な補助壁４９が接続されている。補助壁４９は、枠形ベース６１の後面壁から後方に向かって直角に起立すると共に中間補強壁４８から枠形ベース６１の内側（図１１（Ａ）における左側、図１１（Ｂ）における右側）に向かって水平に張り出している。この補助壁４９により、中間補強壁４８の横方向への変形を防止している。
【００６６】
このように上方支持壁４７と中間補強壁４８と補助壁４９とは互いに繋がっており、枠形ベース６１を後方から見たときに、略「Ｆ」字形状（図６における左辺のベース側係合部４５，４５）或いは「Ｆ」の字を反転させた形状（図６における右辺のベース側係合部４５，４５）となっている。なお、補助壁４９における中間補強壁４８と反対側の端面と、上方支持壁４７における中間補強壁４８と反対側の端面とは面一となっておりかつ、固定用支柱４６よりも枠形ベース６１の内側に突出しないようになっている。以上がベース側係合部４５の説明である。
【００６７】
ここで、各ベース側係合部４５の外側には、ベース側係合部４５の上方と側方と下方とを囲むように外側嵌合壁６１Ｂが備えられている。外側嵌合壁６１Ｂは、囲壁６１Ａに一体形成されている。具体的には、囲壁６１Ａの内面を外側に段付き状に陥没又は、囲壁６１Ａを側方に向かって段付き状に膨出させた構造をなし、枠形ベース６１の後方（本体側係合部４０側、図６における紙面手前側）と囲壁６１Ａの内側とに開放している。また、外側嵌合壁６１Ｂとベース側係合部４５との間には、次述する本体側係合部４０のフード壁４２が突入可能な隙間が形成されている。
【００６８】
次に、本体側係合部４０について説明する。本体側係合部４０は、図６に示すように、ケース本体６３の左右両辺に２つずつ、合計４つ備えられている。これら４つの本体側係合部４０はケース本体６３の囲壁６３Ａに一体形成され、ケース本体６３に左右対称に配置されている。また、各本体側係合部４０は、上下及び左右で非対称形状をなしている。
【００６９】
図１１（Ａ）には、ケース本体６３のうち図６における右辺下側に配置された本体側係合部４０が拡大して示されており、図１１（Ｂ）には、図６における左辺下側に配置された本体側係合部４０が拡大して示されている。同図に示すように、本体側係合部４０は、囲壁６３Ａをケース本体６３の側方に向かって段付き状に膨出させた袋構造をなしている。詳細には、本体側係合部４０の後面部を構成し、ベース側係合部４５に前後方向で対向した対向壁４１（本発明の「被固定部」に相当する）と、対向壁４１の側部から枠形ベース６１（ベース側係合部４５）に向かって起立したフード壁４２とを有する。対向壁４１の下寄り側部分には、螺旋４４を通すための螺旋挿通孔４１Ｎが貫通形成されている。
【００７０】
フード壁４２の下側角部には、固定用支柱４６の外面に対応して丸みを帯びた円弧壁４２Ａが備えられている。円弧壁４２Ａの内面の曲率は、固定用支柱４６の外周面の曲率とほぼ同じとなっている。また、フード壁４２の下面部には、円弧壁４２Ａの端部から囲壁６３Ａに向かって水平に延びた下側平坦壁４２Ｂが備えられている。さらにフード壁４２の上面部は、囲壁６３Ａから直角に張り出してベース側係合部４５の上方を覆ったフード上面壁４２Ｃ（本発明の「上方被支持壁」に相当する）となっている。フード上面壁４２Ｃと下側平坦壁４２Ｂは互いに平行でありかつ上下方向で対向している。本体側係合部４０を、このような袋構造とすることで強度アップが図られている。
【００７１】
そして、ベース側係合部４５と本体側係合部４０は以下のようにして結合している。図１２に示すように、ベース側係合部４５と外側嵌合壁６１Ｂとの間の隙間には、本体側係合部４０のフード壁４２が挿入されている。即ち、ベース側係合部４５の上方と下方と側方とがフード壁４２によって覆われると共に、フード壁４２の外側には外側嵌合壁６１Ｂが嵌合している。そして、ベース側係合部４５に備えた上方支持壁４７の上面には、重力によってフード上面壁４２Ｃの下面が当接している。このように、上方支持壁４７の上面４７Ｊとフード上面壁４２Ｃの下面とが各々平面形状に形成されて面接触しているので、ベース側係合部４５と本体側係合部４０が係合した際、さらには、枠形ベース６１とケース本体６３とを合体させた際にがたつき等が発生する可能性を低減することができる。また、固定用支柱４６の周面が円弧壁４２Ａの内面に接触している。
【００７２】
また図１３に示すように、本体側係合部４０の対向壁４１にはベース側係合部４５の後端面が突き当たっている。対向壁４１に形成された螺旋挿通孔４１Ｎには、対向壁４１の後方から螺旋４４が挿通されており、この螺旋４４が固定用支柱４６の螺旋孔４６Ｎに螺合している。これによりベース側係合部４５と本体側係合部４０とが結合して、液晶パネル３０が固定されたケース本体６３が枠形ベース６１に対して固定されている。
【００７３】
本実施形態に係る遊技機１０の構成は以上の通りである。次に、本実施形態の遊技機１０の作用効果を説明する。本実施形態において第１ケース６０は以下のようにして遊技板１１に組み付けられる。
【００７４】
まず、遊技板１１の後面１１Ｒに枠形ベース６１を取り付ける。即ち、枠形ベース６１の前面を遊技板１１の後面１１Ｒに宛がって、取付部６１Ｄを螺旋止めする。次いで、ケース本体６３の開口部から液晶パネル３０を挿入し、図示しないビスで液晶パネル３０をケース本体６３の内部に固定する。
【００７５】
次いで、液晶パネル３０が固定されたケース本体６３を、枠形ベース６１に合体させる。即ち、図１４に示すようにケース本体６３を枠形ベース６１の後方から近づけて、図１５に示すように枠形ベース６１の囲壁６１Ａの内側にケース本体６３を嵌め込む。
【００７６】
このとき、図１６に拡大して示すように、ケース本体６３に備えた各本体側係合部４０は、枠形ベース６１の対応するベース側係合部４５とそれぞれ凹凸係合する。即ち、本体側係合部４０のフード壁４２が、ベース側係合部４５と外側嵌合壁６１Ｂとの間の隙間に挿入されて、ベース側係合部４５の全体が袋構造の本体側係合部４０内に収容される（図１６（Ｂ）を参照）。ここで、例えばケース本体６３を上下逆さまに取り付けようとした場合には、フード壁４２が、ベース側係合部４５又は外側嵌合壁６１Ｂに干渉して、ベース側係合部４５と外側嵌合壁６１Ｂとの間の隙間に挿入することができない。従って、ケース本体６３が誤った位置で組み付けられることを防ぐことができる。
【００７７】
本体側係合部４０とベース側係合部４５とが凹凸係合した状態では、図１２に示すように、重力によってフード上面壁４２Ｃが上方支持壁４７の上面４７Ｊに当接する。つまり、ケース本体６３及び液晶パネル３０の自重がフード上面壁４２Ｃから上方支持壁４７にかかるので、固定用支柱４６の負荷が軽減される。また、固定用支柱４６の外面が円弧壁４２Ａの内面に接触する。これにより本体側係合部４０とベース側係合部４５とが位置決めされると共に、上下方向のガタつきが防止される。また、図１３に示すようにベース側係合部４５の後端部が本体側係合部４０の対向壁４１に突き当てられ、対向壁４１に備えた螺旋挿通孔４１Ｎと固定用支柱４６の螺旋孔４６Ｎとが前後方向で整合する。これによりスムーズに螺旋止め作業を行うことができる。
【００７８】
なお、本体側係合部４０とベース側係合部４５とを螺旋止めする前にケース本体６３から手を離した場合でも、ベース側係合部４５と本体側係合部４０の凹凸係合により、ケース本体６３が枠形ベース６１から脱落することはない。即ち、螺旋４４を締め付けるまでの間、ケース本体６３と枠形ベース６１とを仮固定しておくことができる。
【００７９】
ケース本体６３と枠形ベース６１とを凹凸係合させたら、第１ケース６０の後方から螺旋挿通孔４１Ｎに螺旋４４を貫通させてその螺旋４４を螺旋孔４６Ｎに螺合する。これにより本体側係合部４０とベース側係合部４５とが結合される。他の３組の本体側係合部４０及びベース側係合部４５についても同様に螺旋４４で結合すれば、枠形ベース６１に対してケース本体６３が固定されて、液晶パネル３０を収容した第１ケース６０が遊技板１１の後面１１Ｒに固定される。
【００８０】
このように本実施形態の遊技機１０によれば、ベース側係合部４５のうち、固定用支柱４６の上方に配置された上方支持壁４７の上面４７Ｊに、フード壁４２のフード上面壁４２Ｃが当接している。従って、ケース本体６３及びケース本体６３に固定された液晶パネル３０の自重は、フード上面壁４２Ｃから上方支持壁４７へとかかるので、固定用支柱４６への負荷が軽減される。これにより、固定用支柱４６の変形が防がれ、液晶パネル３０の固定状態を安定させることができる。また、中間補強壁４８が上方支持壁４７の下面に接続されて上方支持壁４７を下方から補強しているので、ケース本体６３及び液晶パネル３０の自重による上方支持壁４７の変形を防ぐことができる。また、中間補強壁４８の下端部は固定用支柱４６に接続されているから、固定用支柱４６が中間補強壁４８を介して上方支持壁４７を補強しており、また、固定用支柱４６に横方向から力が掛かった場合でも中間補強壁４８にて固定用支柱４６の変形を防ぐことができる。さらに、中間補強壁４８の中間部に水平な補助壁４９を接続したことで中間補強壁４８の横方向への変形をより確実に防ぐことができる。しかも、フード壁４２の外側には、枠形ベース６１から起立した外側嵌合壁６１Ｂが嵌合するから、フード壁４２を外側嵌合壁６１Ｂによって保護することができる。
【００８１】
また、本実施形態では、互いに係合する本体側係合部４０とベース側係合部４５とを、第１ケース６０の左右両辺に２つずつ設け、しかも左右対称となるように配置したので、枠形ベース６１とケース本体６３とをバランスよく固定することができる。
【００８２】
なお、上方支持壁４７を、固定用支柱４６から比較的近い真上位置に設けたことで、ベース側係合部４５をコンパクトに纏めることができ、本体側係合部４０も簡素な袋構造とすることができる。また、本実施形態では、上方支持壁４７と補助壁４９の間及び、補助壁４９と固定用支柱４６の間にそれぞれ空隙が形成されているから、仮に熱等により上方支持壁４７、補助壁４９及び固定用支柱４６が体積増加したとしても、その増加した分を空隙に逃がすことができ、これらの破損や撓みを防止することができる。
【００８３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８４】
（１）前記実施形態では、遊技機としてパチンコ遊技機１０を例示したが、アレンジボールのような弾球遊技機であってもよいし、スロットマシンのような非弾球遊技機であってもよい。
【００８５】
（２）前記実施形態では、液晶パネル３０を収容した第１ケース６０に本発明を適用していたが、２つのケース構成体に分割されて、内部に収容された電子機器が一方のケース構成体に固定されかつ、その一方のケース構成体が他方のケース構成体に固定された構造であれば、その他のケースに適用してもよい。
【００８６】
（３）上記実施形態では、ベース側係合部４５及び本体側係合部４０を第１ケース６０に左右対称に配置していたが、これらを第１ケース６０に非対称に配置してもよい。例えば、第１ケース６０の右辺に設けられたベース側係合部４５及び本体側係合部４０を、左辺に設けられたベース側係合部４５及び本体側係合部４０に対して、上下方向にずらして配置してもよい。このようにすれば、枠形ベース６１とケース本体６３とが誤った位置（具体的には、上下が逆さま）に組み付けられることを防ぐことができる。
【００８７】
（４）上記実施形態では、ベース側係合部４５及び本体側係合部４０を第１ケース６０の左右両辺に２つずつ設けていたが、これに限るものではなく、例えば、１つずつ又は３つ以上ずつ設けてもよいし、左辺と右辺とでベース側係合部４５及び本体側係合部４０の数を異ならせてもよい。ここで、ベース側係合部４５及び本体側係合部４０を第１ケース６０の左右両辺に少なくとも１つずつ設けておけば、各ベース側係合部４５及び本体側係合部４０に対する負荷が分散されて、固定用支柱４６の変形をより確実に防ぐことができる。
【００８８】
（５）上記実施形態では、中間補強壁４８の下端部が固定用支柱４６に接続された構成であったが、固定用支柱４６に接続されていなくても上方支持壁４７を補強することは可能である。また、１つの中間補強壁４８に補助壁４９を複数設けてもよい。なお、中間補強壁４８や補助壁４９は必須ではなく、固定用支柱４６の上方に上方支持壁４７だけを備えた構成でもよい。
【００８９】
（６）上記実施形態では、固定用支柱４６の外周面がフード壁４２の円弧壁４２Ａ内面に接触していたが、図１７に示すように、固定用支柱４６の外周面が円弧壁４２Ａ内面から離れて、固定用支柱４６の下端部がフード壁４２の下側平坦壁４２Ｂと点Ｐにおいて接触していてもよい。このような構成とすれば、固定用支柱４６を樹脂成形し、その成形歪みによって固定用支柱４６が、正規の位置よりフード壁４２の下側角部側に傾いて成形されても、下側平坦壁４２Ｂに沿って固定用支柱４６を変形させながらフード壁４２をベース側係合部４５に係合することができる。
【００９０】
（７）固定用支柱４６は、円柱形状に限らず角柱形状でもよい。なお、角柱形状とした場合には、その稜線がフード壁４２の下側平坦壁４２Ｂに突き当たるようにすることが好ましい。このような構成としても、上記実施例（６）に記載した効果と同等の効果を奏することが可能である。
【００９１】
（８）上方支持壁４７及び補助壁４９は、中間補強壁４８の一側方だけに張り出していたが、両側方に張り出していてもよい。
【００９２】
（９）上記実施形態では、本体側係合部４０とベース側係合部４５とを螺旋止めしていたが、螺旋４４の代わりに、例えば、ナイラッチやピン、磁石で固定してもよい。また、本体側係合部４０とベース側係合部４５とに爪部を設けて各々の爪部が互いに係合することで固定する構成でもよい。
【００９３】
（１０）中間補強壁４８及び／或いは補助壁４９の一部が枠形ベース６１の後面壁から離れていてもよい。
【００９４】
（１１）中間補強壁４８の途中に凹部を設けて、中間補強壁４８が熱等により体積増加した場合には、この凹部に、体積増加分を逃がすようにしてもよい。
【００９５】
（１２）上記実施形態では、本発明に係る「壁部」としての囲壁６１Ａ内にケース本体６３の一部を収容する構成にしているが、それに限るものではなく、例えば、枠形ベース６１の後面壁から少なくとも２つの壁部を、遊技板１１の後面１１Ｒに対して略垂直に立設してそれらを略上下方向（或いは略左右方向）で対向配置し、２つの壁部の間にケース本体６３が位置するように構成してもよい。また、３つの壁部を枠形ベース６１の後面壁に「コ」の字状に立設して、その内部にケース本体６３を収容する構成でもよい。又、枠形ベース６１の後面壁に立設される囲壁は略長方形状に限るものではなく、略円形状や略多角形（例えば、三角形状や、五角形状等）であってもよい。
【図面の簡単な説明】
【００９６】
【図１】本発明の一実施形態に係るパチンコ遊技機の正面図
【図２】遊技機の後面図
【図３】遊技板の後面図
【図４】第３ケースを取り外した状態の遊技板の後面図
【図５】第２及び第３ケースを取り外した状態の遊技板の後面図
【図６】第１ケースを分解した状態の後面図
【図７】表示装置の斜視図
【図８】表示装置の分解斜視図
【図９】表示装置の分解斜視図
【図１０】第１ケースの分解斜視図
【図１１】ベース側係合部と本体側係合部の斜視図
【図１２】係合状態におけるベース側係合部と本体側係合部の断面図
【図１３】図１２におけるＸ−Ｘ断面図
【図１４】組付け過程における第１ケースの斜視図
【図１５】係合状態における第１ケースの斜視図
【図１６】（Ａ）図１４におけるベース側係合部と本体側係合部の拡大斜視図、（Ｂ）図１５におけるベース側係合部と本体側係合部との結合部分の拡大斜視図
【図１７】他の実施形態（６）におけるベース側係合部と本体側係合部の断面
【図１８】従来の遊技機に備えられたケースの分解斜視図
【符号の説明】
【００９７】
１０    パチンコ遊技機
１１    遊技板（ケース固定部材）
１１Ｒ    後面（ケース固定面）
３０    液晶ディスプレイパネル（電子機器）
４０    本体側係合部（被ケース係合部）
４１    対向壁
４１Ｎ    螺旋挿通孔
４２    フード壁
４２Ａ    円弧壁
４２Ｂ    下側平坦壁
４２Ｃ    フード上面壁
４４    螺旋
４５    ベース側係合部（ケース係合部）
４６    固定用支柱（固定用突部）
４６Ｎ    螺旋孔
４７    上方支持壁
４８    中間補強壁
４９    補助壁
６０    第１ケース（ケース）
６１    枠形ベース（第１ケース構成体）
６１Ａ    囲壁（壁部）
６１Ｂ    外側嵌合壁
６３    ケース本体（第２ケース構成体）
【図１】
2007319307.tif 000003
【図２】
2007319307.tif 000004
【図３】
2007319307.tif 000005
【図４】
2007319307.tif 000006
【図５】
2007319307.tif 000007
【図６】
2007319307.tif 000008
【図７】
2007319307.tif 000009
【図８】
2007319307.tif 000010
【図９】
2007319307.tif 000011
【図１０】
2007319307.tif 000012
【図１１】
2007319307.tif 000013
【図１２】
2007319307.tif 000014
【図１３】
2007319307.tif 000015
【図１４】
2007319307.tif 000016
【図１５】
2007319307.tif 000017
【図１６】
2007319307.tif 000018
【図１７】
2007319307.tif 000019
【図１８】
2007319307.tif 000020